(57)【要約】【課題】ペレットストーブの燃焼熱を利用して温水を生成することができる簡易な構成の温水生成装置を提供すると共に、この温水生成装置を用いてビニールハウス内の土壌を加温することができる土壌加温システムを提供すること。【解決手段】温水生成装置２２０は、ペレットストーブのペレットストーブ本体２に係合可能に構成され、ペレットストーブ本体２から受熱する伝熱面部２３６を有するタンク本体２３０と、タンク本体２３０に設けられ、該タンク本体２３０の内部へ水を導入する給水部２４０と、タンク本体２３０に設けられ、該タンク本体２３０の外部へ温水を排出する排水部２５０，２５１と、を備える。【選択図】図１１
2011002185.tif 000002
【特許請求の範囲】
【請求項１】
ペレット燃料を燃焼するペレットストーブ本体から受熱して温水を生成する温水生成装置であって、
前記ペレットストーブ本体から受熱する伝熱面部を有し、水を貯留可能に形成されたタンク本体と、
前記タンク本体に設けられ、該タンク本体の内部へ前記水を導入する給水部と、
前記タンク本体に設けられ、該タンク本体の外部へ前記温水を排出する排水部と、
を備えることを特徴とする温水生成装置。
【請求項２】
前記タンク本体は、前記ペレットストーブ本体に係合可能に構成され、かつ、前記伝熱面部は、該ペレットストーブ本体に近接配置されることを特徴とする請求項１に記載の温水生成装置。
【請求項３】
前記タンク本体の前記伝熱面部は、前記ペレットストーブ本体に一体に固定されていることを特徴とする請求項１に記載の温水生成装置。
【請求項４】
前記伝熱面部は、該伝熱面部から前記タンク本体の内方に向かって延びる複数の伝熱板を有することを特徴とする請求項１から３のいずれかに記載の温水生成装置。
【請求項５】
前記伝熱板は、複数の貫通穴を有することを特徴とする請求項４に記載の温水生成装置。
【請求項６】
隣接する前記伝熱板の前記貫通穴は、該貫通穴の中心位置を互いにずらして設けられることを特徴とする請求項５に記載の温水生成装置。
【請求項７】
前記タンク本体の内部には、前記排水部と連通し、複数の貫通穴が設けられた温水収集パイプを有することを特徴とする請求項１から６のいずれかに記載の温水生成装置。
【請求項８】
前記排水部は、前記タンク本体に複数設けられ、かつ、該タンク本体の異なる箇所に配置されることを特徴とする請求項１から７のいずれかに記載の温水生成装置。
【請求項９】
前記タンク本体の中の前記水の量を検出する水位計を備えることを特徴とする請求項１から８のいずれかに記載の温水生成装置。
【請求項１０】
前記タンク本体の中の前記水の温度を検出する水温計を備えることを特徴とする請求項１から９のいずれかに記載の温水生成装置。
【請求項１１】
前記タンク本体の前記伝熱面部と前記ペレットストーブ本体との間に形成される隙間には、熱伝導率の高い材料からなるスペーサ部材が設けられることを特徴とする請求項２に記載の温水生成装置。
【請求項１２】
前記スペーサ部材は、銅製の多孔板からなることを特徴とする請求項１１に記載の温水生成装置。
【請求項１３】
前記タンク本体は、前記水の貯留量を増加するために増設される補助タンクと接続する増設用接続部を備えることを特徴とする請求項１から１２のいずれかに記載の温水生成装置。
【請求項１４】
前記タンク本体は、該タンク本体に貯留されている前記水を排出するドレン部を有することを特徴とする請求項１から１３のいずれかに記載の温水生成装置。
【請求項１５】
前記タンク本体を支持する脚部を備え、該脚部は、該タンク本体の地面からの高さを調節可能に形成されていることを特徴とする請求項１から１４のいずれかに記載の温水生成装置。
【請求項１６】
請求項１から１５のいずれかに記載の温水生成装置で生成された温水を用いて土壌を加温する土壌加温システムであって、
前記温水生成装置と、
前記土壌の中に埋設され前記温水を流通する放熱パイプと、
前記温水生成装置の前記排水部と前記放熱パイプの一端とを接続する送水用接続パイプと、
前記温水生成装置の前記給水部と前記放熱パイプの他端とを接続する戻水用接続パイプと、
前記送水用接続パイプに設けられ、前記温水生成装置で生成された前記温水を前記放熱パイプへ送出するポンプと、
を備えることを特徴とする土壌加温システム。
【請求項１７】
前記送水用接続パイプ及び前記戻水用接続パイプは、流路を開閉するバルブを有することを特徴とする請求項１６に記載の土壌加温システム。
【発明の詳細な説明】
【技術分野】
【０００１】
本発明は、ペレット燃料を燃焼するペレットストーブ本体から受熱して温水を生成する温水生成装置及びこれを用いた土壌加温システムに関する。
【背景技術】
【０００２】
近年、石油燃料の高騰と地球温暖化防止の観点から、木質ペレット燃料が、安価かつカーボンニュートラルな資源として注目されている。このため、木質ペレット燃料を燃料とするペレットストーブは、家庭用のみならず、ビニールハウスなどを用いて農作物を栽培する事業者においても、該ビニールハウスの魅力的な暖房装置として注目されている。
【０００３】
従来より、長時間燃焼可能なペレットストーブについて様々な手法が提案されている。例えば、特許文献１には、ペレット燃料が未燃焼の状態で落下することを防止すると共に、効果的に灰を落下可能なペレットストーブが開示されている。
【０００４】
この特許文献１に記載のペレットストーブは、ペレット供給装置から順次ペレット燃料が供給されると共に、灰落とし装置によって、燃焼後の灰を順次除去するようにしている。つまり、このペレットストーブは、ペレット供給装置を所定時間間隔で、所定時間作動させる動作を所定回数繰り返した後、灰落とし装置を所定時間作動させており、これによって、ペレットストーブを長時間燃焼させるようにしている。
【先行技術文献】
【特許文献】
【０００５】
【特許文献１】特開２００４−１３８２５６号公報
【発明の概要】
【発明が解決しようとする課題】
【０００６】
しかしながら、特許文献１に記載のペレットストーブは、ペレット供給装置及び灰落とし装置をスクリューコンベアやモータなどによって構成しているため、ペレットストーブ本体が大型化、複雑化してしまい、部品点数の増加、製造コストの上昇、故障率の上昇などの様々な側面で問題点があった。
【０００７】
そこで、本願出願人は、安価でしかも長時間に亘って燃焼効率を良好に維持することができるペレットストーブを開発するに至った。
そして、本願出願人は、このペレットストーブを農作物栽培用のビニールハウスの熱源に利用することを模索していた。
【０００８】
したがって、ペレットストーブの燃焼熱を利用して温水を生成することができる簡易な構成の温水生成装置の提供が望まれていた。
【０００９】
また、上記温水生成装置を用いてビニールハウス内の土壌（農作物が植えられた畝）を加温することができる土壌加温システムの提供が望まれていた。
【００１０】
本発明は、ペレットストーブの燃焼熱を利用して温水を生成することができる簡易な構成の温水生成装置を提供することを目的とする。
【００１１】
また、本発明は、温水生成装置を用いてビニールハウス内の土壌を加温することができる土壌加温システムを提供することを目的とする。
【課題を解決するための手段】
【００１２】
本発明は、ペレット燃料を燃焼するペレットストーブ本体から受熱して温水を生成する温水生成装置であって、
前記ペレットストーブ本体から受熱する伝熱面部を有し、水を貯留可能に形成されたタンク本体と、
前記タンク本体に設けられ、該タンク本体の内部へ前記水を導入する給水部と、
前記タンク本体に設けられ、該タンク本体の外部へ前記温水を排出する排水部と、
を備えることを特徴とする。
【００１３】
前記タンク本体は、前記ペレットストーブ本体に係合可能に構成され、かつ、前記伝熱面部は、該ペレットストーブ本体に近接配置されてもよい。
【００１４】
前記タンク本体の前記伝熱面部は、前記ペレットストーブ本体に一体に固定されてもよい。
【００１５】
前記伝熱面部は、該伝熱面部から前記タンク本体の内方に向かって延びる複数の伝熱板を有してもよい。
【００１６】
前記伝熱板は、複数の貫通穴を有してもよい。
【００１７】
隣接する前記伝熱板の前記貫通穴は、該貫通穴の中心位置を互いにずらして設けられてもよい。
【００１８】
前記タンク本体の内部には、前記排水部と連通し、複数の貫通穴が設けられた温水収集パイプを有してもよい。
【００１９】
前記排水部は、前記タンク本体に複数設けられ、かつ、該タンク本体の異なる箇所に配置されてもよい。
【００２０】
前記タンク本体の中の前記水の量を検出する水位計を備えてもよい。
【００２１】
前記タンク本体の中の前記水の温度を検出する水温計を備えてもよい。
【００２２】
前記タンク本体の前記伝熱面部と前記ペレットストーブ本体との間に形成される隙間には、熱伝導率の高い材料からなるスペーサ部材が設けられてもよい。
【００２３】
前記スペーサ部材は、銅製の多孔板からなっていてもよい。
【００２４】
前記タンク本体は、前記水の貯留量を増加するために増設される補助タンクと接続する増設用接続部を備えてもよい。
【００２５】
前記タンク本体は、該タンク本体に貯留されている前記水を排出するドレン部を有してもよい。
【００２６】
前記タンク本体を支持する脚部を備え、該脚部は、該タンク本体の地面からの高さを調節可能に形成されてもよい。
【００２７】
本発明は、上述のいずれかに記載の温水生成装置で生成された温水を用いて土壌を加温する土壌加温システムであって、
前記温水生成装置と、
前記土壌の中に埋設され前記温水を流通する放熱パイプと、
前記温水生成装置の前記排水部と前記放熱パイプの一端とを接続する送水用接続パイプと、
前記温水生成装置の前記給水部と前記放熱パイプの他端とを接続する戻水用接続パイプと、
前記送水用接続パイプに設けられ、前記温水生成装置で生成された前記温水を前記放熱パイプへ送出するポンプと、
を備えることを特徴とする。
【００２８】
前記送水用接続パイプ及び前記戻水用接続パイプは、流路を開閉するバルブを有してもよい。
【発明の効果】
【００２９】
本発明によれば、ペレットストーブの燃焼熱を利用して温水を生成することができる簡易な構成の温水生成装置を提供することができる。
【００３０】
また、本発明によれば、温水生成装置を用いてビニールハウス内の土壌を加温することができる土壌加温システムを提供することができる。
【図面の簡単な説明】
【００３１】
【図１】本発明の第１実施形態に係るペレットストーブ用ペレットバーナー及びペレットストーブの正面図である。
【図２】図１に示したペレットストーブ用ペレットバーナー及びペレットストーブの部分拡大図である。
【図３】図１に示したペレットストーブ用ペレットバーナー及びペレットストーブの側面拡大図である。
【図４】図１に示したペレットストーブ用ペレットバーナー及びペレットストーブの一部縦断面図である。
【図５】図１に示したペレットストーブ用ペレットバーナー及びペレットストーブの一部側面図である。
【図６】図１に示したペレットストーブ用ペレットバーナー及びペレットストーブの一部の部分断面図である。
【図７】図１に示したペレットストーブ用ペレットバーナー及びペレットストーブの別の一部の平面図である。
【図８】図１に示したペレットストーブ用ペレットバーナー及びペレットストーブのさらに別の一部の平面図である。
【図９】図１に示したペレットストーブ用ペレットバーナー及びペレットストーブのさらに別の一部の平面図である。
【図１０】図１に示したペレットストーブ用ペレットバーナー及びペレットストーブのブロック線図である。
【図１１】本発明の第１実施形態に係るペレットストーブに近接配置された温水生成装置を示す組立斜視図である。
【図１２】本発明の第１実施形態に係る温水生成装置を示す正面斜視図である。
【図１３】本発明の第１実施形態に係る温水生成装置の内部を示す斜視図である。
【図１４】本発明の第１実施形態に係る温水生成装置を示す正面図である。
【図１５】本発明の第１実施形態に係る温水生成装置を示す側面図である。
【図１６】本発明の第１実施形態に係る温水生成装置を示す平面図である。
【図１７】図１４に示す温水生成装置のタンク本体をＡ−Ａ線で切断した断面図である。
【図１８】本発明の第１実施形態に係る温水生成装置を用いた土壌加温システムを示す模式図である。
【図１９】本発明の第１実施形態に係る畝に埋設された放熱パイプを示す断面図である。
【図２０】本発明の第２実施形態に係るペレットストーブに一体に固定された温水生成装置を示す組立斜視図である。
【図２１】本発明の第２実施形態に係る温水生成装置を示す側面斜視図である。
【図２２】本発明の第２実施形態に係る温水生成装置の内部を示す斜視図である。
【図２３】本発明の第２実施形態に係る温水生成装置を示す正面図である。
【図２４】本発明の第２実施形態に係る温水生成装置を示す側面図である。
【図２５】本発明の第２実施形態に係る温水生成装置を示す平面図である。
【図２６】図２３に示す温水生成装置のタンク本体をＢ−Ｂ線で切断した断面図である。
【図２７】本発明の第２実施形態に係る温水生成装置を用いた土壌加温システムを示す模式図である。
【図２８】本発明の第２実施形態に係る放熱パイプを示す断面図である。
【発明を実施するための形態】
【００３２】
以下に、本発明の実施形態を図面を参照しながら詳細に説明する。
【００３３】
〔第１実施形態〕
この第１実施形態に係る温水生成装置２２０（図１１参照）は、ペレット燃料を燃焼するペレットストーブ本体２（図１参照）から受熱して温水を生成するものであり、ペレットストーブ本体２を上方から覆うように近接配置されるものである。
【００３４】
＜ペレットストーブの説明＞
先ず、ペレットストーブについて図１から図１０を参照しながら説明する。
図１に示すように、ペレットストーブは、ペレットストーブ用ペレットバーナー１と、ペレットストーブ本体２とを組み合わせたものである。
図２及び図４に示すように、ペレットストーブ用ペレットバーナー１は、その上部が開口（図４参照）されたペレットタンク１１と、燃焼筒１３（図２参照）とを備えている。燃焼筒１３は、ペレット燃料１１２が供給される燃焼台２２（図２参照）に対向配置され、バーナーとして作用する。このペレットタンク１１と燃焼筒１３とは、分離可能に構成されている。
【００３５】
図４及び図５に示すように、ペレットタンク１１は、上部が開口された円筒状部材である。また、ペレットタンク１１は、下方に向けて先が細くなる漏斗状に形成されている。
このペレットタンク１１の開口は、ペレットタンク用蓋１６によって閉塞される。ペレットタンク用蓋１６は、ボルトとナット又は蓋止め機構のような周知の取り付け機構によって、ペレットタンク１１の上部の開口に着脱可能に取り付けられている。
したがって、ペレットタンク１１にペレット燃料１１２を供給する際には、ペレットストーブを使用する者がペレットタンク用蓋１６を開けて、ペレットタンク１１の内部にペレット燃料１１２を供給することになる。
【００３６】
なお、ペレットストーブ用ペレットバーナー１及びペレットタンク用蓋１６を構成する素材として、鉄又はステンレスなどの耐熱性のある素材が用いられる。
また、ペレット燃料１１２は、オガクズや木の皮をペレット状に圧縮、成型した木質系の固形燃料である。
【００３７】
図２に示すように、ペレットストーブ本体２は、長手方向の両端を閉塞された円筒形状となっている。ペレットストーブ本体２は、該円筒の内部に内部空間２３が形成され、燃焼筒１３を収容する燃焼部２１を備える。
燃焼部２１の上部には、燃焼筒１３を挿入可能な開口部２４が形成されている。したがって、ペレットストーブ用ペレットバーナー１は、ペレットストーブ本体２の上方から燃焼筒１３を開口部２４に挿入して、ペレットストーブ本体２にセットされる。
【００３８】
図１及び図５に示すように、ペレットストーブ用ペレットバーナー１は、ペレットタンク１１の外周側面から下方に伸びる筒状のスタンド１５を備えている。したがって、ペレットストーブ用ペレットバーナー１は、これがペレットストーブ本体２にセットされると、スタンド１５によって支えられる。
スタンド１５は、下側に伸びる先端に、上下に進退可能な高さ調節用脚１５２を備えている。ペレットストーブ用ペレットバーナー１の高さは、ペレットストーブ本体２の高さに応じて、高さ調節用脚１５２を進退させることによって調節される。スタンド１５は、例えば、耐熱ステンレスや鋳鉄などで形成される。
【００３９】
なお、スタンド１５の数に制限はなく、図示の例では、２本であるが、１本でもよく、又は３本以上としてもよい。
また、図示の例では、スタンド１５は、スタンド１５の先端が外側に開いた形状としているが、ペレットストーブ用ペレットバーナー１を安定して支持することができる形状であればこれに限定されず、例えば、ストレート形状でもよい。
【００４０】
図２に示すように、ペレットストーブ本体２の燃焼部２１の側壁には、開口２５が形成されている。開口２５には、通常の使用において開閉困難な状態に蓋をしている蓋部２６が取り付けられている。蓋部２６には、複数の通気口２７ａ，２７ｂ，２７ｃが形成されている。
したがって、複数の通気口２７ａ，２７ｂ，２７ｃを通った空気は、開口２５を経由して内部空間２３に入り込むことができる。換言すると、ペレットストーブの燃焼の程度にかかわらず、常に、外部からの空気を内部空間２３に向けて供給することができる（図２の矢印Ｓを参照）。
これにより、ペレット燃料１１２の燃焼の際に、適切な燃焼用空気がペレット燃料１１２に供給されるので、ペレット燃料１１２の表面から燃えるようになり、ペレット燃料１１２が蒸し焼き状態となることを防止する。
【００４１】
また、図２において、通気口２７ｃは、燃焼筒１３の下端よりも低い位置に形成されている。これにより、燃焼筒１３の下側で発生している炎に、直接、通気口２７ｃからの空気が供給され、適切な状態でペレット燃料１１２が燃焼する。
【００４２】
図３に示すように、複数の通気口２７ａ，２７ｂ，２７ｃは、複数のグループに属するように分けられている。そして、５つ（図示では３つ）の通気口２７ｃは、これに隣接する２つの通気口２７ｂの列に対して、垂直方向に隙間を置き、かつ、水平方向に伸びる列を形成している。２つの通気口２７ｂも同様である。
【００４３】
５つの通気口２７ｃの列の長さは、垂直方向において、上側に隣接する２つの通気口２７ｂの列の長さより長くなっている。したがって、通気口２７ａ，２７ｂ，２７ｃは、下側を底辺とする三角形２７ｇを形成している。このように、通気口２７ａ，２７ｂ，２７ｃを蓋部２６に形成することにより、より効果的にペレット燃料１１２を燃焼させることができる。
通気口２７ａ，２７ｂ，２７ｃの直径は、それぞれ１５ｍｍ、２７ｍｍ、１６ｍｍであることが好ましい。
【００４４】
図４に示すように、ペレットタンク１１は、一重の円筒形状を有している。一方、燃焼筒１３は二重管である。つまり、燃焼筒１３は、外筒１３ａと、この外筒１３ａと同心に配設された内筒１３ｂとを有している。外筒１３ａと内筒１３ｂとの間は、空気通路１３ｃとして規定されている。外筒１３ａ及び内筒１３ｂは、例えば、耐熱ステンレスや鋳鉄などで形成される。
【００４５】
図４に示すように、スタンド１５は中空である。ペレットタンク１１の側面かつ上側には、開口１１ｇが形成されている。スタンド１５の上側の一端は、ペレットタンク１１の開口１１ｇに気密的に接続されている。スタンド１５の途中には、分岐管１５ａの一端が気密的に接続されている。分岐管１５ａの他端は、燃焼筒１３の外筒１３ａに気密的に接続されている。
したがって、スタンド１５の中空の部分は、ペレットタンク１１の内部に気密的に接続されていると共に、分岐管１５ａを介して空気通路１３ｃに気密的に接続されている。
【００４６】
スタンド１５の下端には、空気導入口１５１が形成されている。空気導入口１５１には、吸気ファン１５３が気密的に取り付けられている。したがって、吸気ファン１５３によって取り込まれた空気は、スタンド１５の内部に強制的に吸気される。
つまり、吸気ファン１５３の駆動によって、空気導入口１５１からスタンド１５内に空気が導入される。空気導入口１５１から導入された空気は、スタンド１５の内部を流れ、開口１１ｇからペレットタンク１１内に導入されると共に、分岐管１５ａを通って空気通路１３ｃに達する。
【００４７】
図２に示すように、分岐管１５ａの端部１５ｂを通った空気が流れる方向は、空気通路１３ｃの伸びる方向に対して略直角の方向であるから、端部１５ｂを通った空気を空気通路１３ｃの伸びる方向（すなわち下方向）に向けさせるための導風板７０が設けられている。
【００４８】
導風板７０は、図９に示すように、略半楕円の形状を有する。導風板７０は、外筒１３ａの内周面に略沿うように、楕円形状部分７３と、内筒１３ｂを避けるための切り欠き部７１、７２とによって形成されている。このような形状の導風板７０は、図２に示すように、この面が斜め方向に伸びるように、空気通路１３ｃに設けられている。
このため、分岐管１５ａを介して送られてきた空気は、ペレット燃料１１２を均一に燃焼するように、空気通路１３ｃにおいて均一状態で下方向に向けられ、燃焼部２１へ送られる。そして、燃焼後の空気は、排気管２１ａ（図１参照）を通って排気される。
【００４９】
図４及び図５に示すように、ペレットタンク１１の下部には、燃焼筒１３が連結されている。ペレットタンク１１の底部には、開口部が形成されている。この開口部には、該開口部を塞ぐように円板状の仕切り部材４０が配設されている。したがって、ペレットタンク１１と燃焼筒１３とは、この仕切り部材４０によって仕切られている。仕切り部材４０は、ペレットタンク１１の底部と略同一の形状を有している。
【００５０】
図６及び図７に示すように、仕切り部材４０は、ペレットタンク１１の底部と略同一の形状の円盤部４１であり、その中央に、規制用シャフト６１が貫通可能な貫通穴４２が形成されている。
また、貫通穴４２と円盤部４１の外周との間には、ペレットストーブの燃焼に必要な量のペレット燃料１１２が通ることができる大きさの穴部４３が形成されている。穴部４３の形状としては、略円形の部分を有する形状である。具体的には、穴部４３の形状としては、円周方向における両端の形状が略円形状を有している。
【００５１】
図６及び図８に示すように、仕切り部材４０の下側には、仕切り蓋部材３０が仕切り部材４０に対して相対的に回転可能に配置されている。仕切り蓋部材３０は、円盤部４１と略同一の大きさの円盤部３１であり、その中央には、規制用シャフト６１の端部に相対的に回転不能に組み付けられる勘合穴３２が形成されている。したがって、円盤部３１は、規制用シャフト６１の回転に伴って回転する。
【００５２】
また、勘合穴３２と円盤部３１の外周との間には、穴部３３が設けられている。穴部３３は、ペレットストーブの燃焼に必要な量のペレット燃料１１２が通ることができる大きさになっている。
円盤部３１における穴部３３の位置は、円盤部４１における穴部４３の位置と略一致する。穴部３３及び穴部４３は、いずれも直径２０ｍｍの円形状が好ましい。
【００５３】
規制用シャフト６１が回転すると、穴部３３が、円盤部４１に重なったり、穴部４３に重なったりする。そして、規制用シャフト６１が回転している場合において、穴部３３と穴部４３とが重なっているとき、開口する形状は、２つの円弧で形成される瞳形状の大きさとして変化する。
【００５４】
すなわち、穴部３３が、円盤部４１と重なっている状態から、穴部４３に重なろうとしているとき、穴部３３と穴部４３とが重なっている瞳形状の大きさは、小さい状態から大きい状態に変化し、やがて、穴部３３と穴部４３とが重なり、その大きさは、最大となる。そして、穴部３３の一部が円盤部４１に重なりだすと、また、穴部３３と穴部４３とが重なって形成される瞳形状は次第に小さくなっていく。
【００５５】
つまり、円盤部３１が回転することにより、穴部３３と穴部４３とは、瞳形状の大きさが変化するので、ペレット燃料１１２の供給を確実に停止させる（ペレット燃料１１２の供給を規制する）ことができる。
【００５６】
図１及び図４に示すように、円盤部３１は、規制用制御手段６０によって、回転される。規制用制御手段６０は、図４に示すように、円盤部３１に組みつけられた規制用シャフト６１と、規制用シャフト６１を回転させるための規制用駆動モータ６３（図１参照）と、を備える。
規制用シャフト６１は、ペレットタンク１１の内部を通って、規制用駆動モータ６３の出力軸に相対的回転不能に組みつけられている。また、規制用シャフト６１の下端付近には、ペレット燃料１１２を攪拌する攪拌棒６２（図４参照）が設けられている。この攪拌棒６２は、ペレットタンク１１の下部、特に、仕切り部材４０の上方近傍に位置することが好ましい。
規制用駆動モータ６３は、ペレットタンク１１の上方に配置されている。
【００５７】
図４に示すように、ペレットストーブ用ペレットバーナー１は、防火シャッター部材８０を備えている。防火シャッター部材８０は、仕切り部材４０と仕切り蓋部材３０とからなる規制部材と、燃焼筒１３との間に配置される。防火シャッター部材８０は、燃焼筒１３で生じた燃焼炎が上記規制部材に届かないようにするためのものである。
【００５８】
防火シャッター部材８０は、上記規制部材と燃焼筒１３との間に差し込むことができるような板形状を有する防火シャッター８５と、防火シャッター８５に形成されたラック８４と、ラック８４に噛合する歯車部８３と、歯車部８３に噛合するラック８２と、ラック８２を直動させるソレノイド８１と、を備える。
【００５９】
ソレノイド８１を作動（進退）させると、ラック８２、歯車部８３、ラック８４を介して防火シャッター８５が直動（進退）する。これにより、防火シャッター８５が上記規制部材と燃焼筒１３との間に差し込まれたり、抜き出されたりする。
したがって、防火シャッター部材８０は、燃焼筒１３の近傍から生じる煙や灰が防火シャッター８５を超えてペレットタンク１１の内部に入り込むことを防止する。
【００６０】
仕切り蓋部材３０の穴部３３（図６及び図８参照）は、燃焼筒１３の内筒１３ｂ（図４参照）に気密的に接続されている。また、燃焼筒１３の中心位置は、穴部４３（図６参照）の中心位置に対してずらして（オフセットして）配置されている。
したがって、図２に示すように、穴部３３を通ったペレット燃料１１２は、上端部がオフセットしている内筒１３ｂの内部に供給され、内部空間２３の燃焼台２２に供給される。燃焼台２２は、複数の通気口２２ａを有するスノコ状のものが好ましい。
【００６１】
図４に示すように、ペレットストーブ用ペレットバーナー１には、攪拌部材５０が設けられている。攪拌部材５０は、燃焼台２２と燃焼筒１３との間にあるペレット燃料１１２を攪拌するためのものである。攪拌部材５０は、上下方向に延びる攪拌用シャフト５１と、攪拌用シャフト５１の下端に取り付けられた攪拌部５２とを有している。
【００６２】
攪拌用シャフト５１の上端は、電気モータのような攪拌駆動部５３（図１参照）の出力軸に、相対的回転不能に連結されている。また、攪拌用シャフト５１は、図４に示すように、ペレットタンク１１の外に配置され、作業者が誤って攪拌用シャフト５１に接触しないように、カバー５４で覆われている。攪拌用シャフト５１は、例えば、耐熱ステンレスや鋳鉄などで形成される。
【００６３】
攪拌部５２は、融着したペレット燃料１１２や、ペレット燃料１１２の燃焼灰を攪拌するためのものである。攪拌部５２は、外筒１３ａの内径よりも若干短い長さの棒形状を有する。
【００６４】
攪拌部材５０は、このように構成されているので、攪拌駆動部５３が作動すると、攪拌用シャフト５１を介して攪拌部５２が回転し、融着したペレット燃料１１２や、ペレット燃料１１２の燃焼灰を攪拌する。
【００６５】
図５に示すように、ペレットストーブ用ペレットバーナー１は、燃焼筒１３に供給されたペレット燃料１１２の残量を検出する残量検出器９０を備える。残量検出器９０は、空気通路１３ｃに設けられたペレット燃料センサー９１と、ペレット燃料センサー９１からの信号を制御盤３（図１参照）に送信するセンサーデバイス９２と、を備える。
【００６６】
図１及び図１０に示すように、ペレットストーブには、制御盤３が設けられている。制御盤３は、集中管理ができるように、ペレットストーブの作動に必要なすべての電気機器を収納している。
【００６７】
制御盤３は、デバイス１３１，１３２，１３３，１３４，１３５と、ＣＰＵ３９と、を備える。デバイス１３１は、防火シャッター部材８０のソレノイド８１（図４参照）を作動させる。デバイス１３２は、残量検出器９０のセンサーデバイス９２からの信号を受信する。デバイス１３３は、攪拌駆動部５３を制御する。デバイス１３４は、規制用駆動モータ６３を制御する。デバイス１３５は、後述する選択型スイッチ１５４による選択信号に基づいて吸気ファン１５３を制御する。
【００６８】
これらのデバイス１３１，１３２，１３３，１３４，１３５は、ＣＰＵ３９に接続されている。ＣＰＵ３９は、デバイス１３１，１３２，１３３，１３４，１３５からの情報に基づいて、デバイス１３１，１３２，１３３，１３４，１３５を介して各種電気機器を制御する。
【００６９】
また、制御盤３のデバイス１３５には、吸気ファン１５３の空気吸入量を設定する選択型スイッチ１５４が電線を介して接続されている。選択型スイッチ１５４は、オフ（空気吸入量がゼロ）の状態がないタイプのものが用いられ、例えば、吸気ファン１５３の空気吸入量を３段階に設定できることが好ましい。
より具体的には、吸気ファン１５３の空気吸入量は、第１の選択では４．５ｋｇ／ｈであり、第２の選択では３．５ｋｇ／ｈであり、第３の選択では２．５ｋｇ／ｈであることが好ましい。
【００７０】
また、制御盤３には、プラグ３７がメインスイッチ３８を介して接続されている。プラグ３７は、制御盤３内にある各種電気機器に対して電源を供給するものであり、例えば、電源コンセント（図示せず）に差し込まれる。メインスイッチ３８は、制御盤３への電源供給をオンオフするスイッチである。
【００７１】
制御盤３内の各種電気機器は、電気が供給されていないときに、防火シャッター８５が上記規制部材と燃焼筒１３との間に差し込まれた状態を維持するように構成されている。制御盤３に電気が供給されていないときとは、メインスイッチ３８がオフのときや、プラグ３７が電源コンセント（図示せず）に差し込まれていないときなどであり、停電や電気トラブルによって電気が供給されないときも含まれる。
【００７２】
また、制御盤３は、ペレットストーブ用ペレットバーナー１が作動しているときは、必ず、吸気ファン１５３が作動するように構成されている。
【００７３】
＜温水生成装置の説明＞
次に、この第１実施形態に係る温水生成装置２２０について図１１から図１７を参照しながら説明する。なお、図１１などにおいては、電気配線や通気口２７ａ，２７ｂ，２７ｃなどの図示を省略してある。
【００７４】
図１１から図１７に示すように、温水生成装置２２０は、タンク本体２３０と、給水部２４０と、排水部２５０，２５１と、を備える。
【００７５】
先ず、タンク本体２３０について説明する。タンク本体２３０は、水（例えば、約９０リットル）を貯留可能な有底箱状に構成されている。タンク本体２３０の全体形状は、略直方体となっている。タンク本体２３０の前部には、図１６に示すように、平面視コ字状の凹部２３０ａが形成されている。
【００７６】
また、タンク本体２３０の前部であって凹部２３０ａに対向する一方の側には、図１１及び図１２に示すように、傾斜部２３０ｂ及び段部２３０ｃが形成されている。傾斜部２３０ｂは、タンク本体２３０の前部の上端縁から前方に向かって下り勾配で延びている。段部２３０ｃは、傾斜部２３０ｂの前端から略垂直下方に延び、さらに前方に向かって略水平に延びるように形成されている。
【００７７】
また、図１２及び図１５に示すように、タンク本体２３０の前部であって凹部２３０ａに対向する他方の側には、傾斜部２３０ｂが設けられている。
【００７８】
このように、タンク本体２３０に凹部２３０ａ、傾斜部２３０ｂ及び段部２３０ｃを形成したのは、図１１に示すように、ペレットストーブ用ペレットバーナー１、ペレットタンク１１及び分岐管１５ａなどとの干渉を回避し、メンテナンススペースを確保すると共に、貯水容量をできるだけ多く確保するためである。
【００７９】
また、タンク本体２３０は、上部に矩形状の開口部２３１を有する。タンク本体２３０は、この開口部２３１を閉塞する矩形板状の蓋部材２３２をさらに有する。
【００８０】
開口部２３１の外周縁部には、図１２及び図１３に示すように、蓋部材２３２を載置するための鍔部２３３が設けられている。蓋部材２３２は、ボルト２３４（図１１参照）によって鍔部２３３に固定される。このため、蓋部材２３２の周縁部には、ボルト２３４を挿通するための貫通穴２３２ａが所定ピッチで複数設けられている。
【００８１】
また、鍔部２３３には、上記貫通穴２３２ａに対応する位置にボルト穴２３３ａが設けられている。ボルト穴２３３ａには、ボルト２３４を螺合する雌ねじが設けられている。
【００８２】
なお、蓋部材２３２は、水の貯留量を増加（例えば、２０リットル増加）するために、増設用の補助タンク（図示せず）と接続する増設用接続部２３２ｂ，２３２ｃを有している。増設用接続部２３２ｂ，２３２ｃは、該補助タンクの容量に応じて選択的に使用される。
【００８３】
タンク本体２３０の底面の一部であってペレットストーブ本体２に対向する面には、ペレットストーブ本体２からの燃焼熱を受熱する伝熱面部２３６が設けられている。伝熱面部２３６は、円筒状のペレットストーブ本体２と係合可能となるように、タンク本体２３０の内方に向かって円弧状に凹んでいる。すなわち、伝熱面部２３６は、縦断面がほぼ半円状に湾曲した形状となっている。
【００８４】
伝熱面部２３６は、図１３から図１７に示すように、該伝熱面部２３６からタンク本体２３０の内方に向かって延びる複数の伝熱板２３７を有する。この伝熱板２３７は、図１３に示すように、複数の貫通穴２３７ａを有する。隣接する伝熱板２３７の貫通穴２３７ａは、該貫通穴２３７ａの中心位置を互いにずらして設けられている。
【００８５】
タンク本体２３０の内部には、図１３、図１６及び図１７などに示すように、排水部２５０と連通し、複数の貫通穴２３８ａが設けられた温水収集パイプ２３８を有する。貫通穴２３８ａは、図１３及び図１６に示すように、温水収集パイプ２３８の長手方向に沿って設けられている。すなわち、温水収集パイプ２３８は、その長手方向に沿って広範囲の領域から温水を取り入れることができるように構成されている。
【００８６】
タンク本体２３０は、図１１、図１４から図１６などに示すように、該タンク本体２３０を支持する脚部２３９を四隅に有する。脚部２３９は、タンク本体２３０の地面からの高さを調節する調節部２３９ａを有する。調節部２３９ａは、例えば、上下方向に進退可能なねじ手段を用いて構成されている。
【００８７】
次に、給水部２４０について説明する。
給水部２４０は、図１１、図１４及び図１７などに示すように、タンク本体２３０の内部へ水を導入する部分であり、タンク本体２３０を貫通する貫通穴として構成されている。すなわち、給水部２４０は、排水部２５０からタンク本体２３０の外部へ排水され、土壌加温（詳細については後述する）などによって放熱した温水を導入する部分である。給水部２４０は、タンク本体２３０の背面（後面）の低位置に２箇所設けられている。
【００８８】
給水部２４０は、円筒状のソケット部２４０ａと、該ソケット部２４０ａに螺合され、これを閉塞するプラグ部２４０ｂとから構成されている。なお、使用しない給水部２４０は、プラグ部２４０ｂによって閉塞される。
【００８９】
次に、排水部２５０，２５１について説明する。
排水部２５０，２５１は、図１１、図１４及び図１７などに示すように、タンク本体２３０の外部へ温水を排出する部分である。すなわち、排水部２５０，２５１は、タンク本体２３０を貫通する貫通穴として構成されている。排水部２５０，２５１は、タンク本体２３０の両側面（左右両側面）に、それぞれ異なる高さに２箇所ずつ設けられている。排水部２５０は、排水部２５１よりも高い位置に設けられている。
【００９０】
排水部２５０，２５１は、円筒状のソケット部２５０ａ，２５１ａと、該ソケット部２５０ａ，２５１ａに螺合され、これを閉塞するプラグ部２５０ｂ，２５１ｂとから構成されている。
【００９１】
配置高さが異なる排水部２５０，２５１は、要求される排水量に応じて選択的に使用される。また、排水部２５０，２５１は、タンク本体２３０の左右両側面に設けられているので、タンク本体２３０の設置場所に応じて、左右いずれかを選択的に使用することができる。なお、使用しない排水部２５０，２５１は、プラグ部２５０ｂ，２５１ｂによって閉塞される。
【００９２】
また、図１１及び図１３から図１７に示すように、タンク本体２３０の両側面の上部には、該タンク本体２３０を貫通するソケット部２５３が設けられている。ソケット部２５３は、後述する水温計２６５などを装着することができる。
【００９３】
ソケット部２５３は、タンク本体２３０の左右両側面に設けられているので、タンク本体２３０の設置場所に応じて、左右いずれかを選択的に使用することができる。なお、使用しないソケット部２５３は、図示しないプラグ部（ねじ手段からなる蓋部材）などによって閉塞される。
【００９４】
また、タンク本体２３０の底部付近には、該タンク本体２３０に貯留されている水を必要時に排出するドレン部（図示せず）が設けられている。
【００９５】
また、図１４及び図１５に示すように、タンク本体２３０の一方の側面（左側面）には、タンク本体２３０の中の水の量を検出する水位計２６０を備える。この水位計２６０は、透明な耐熱性チューブの両端を、タンク本体２３０の内部に連通させることによって構成されている。すなわち、この水位計２６０は、タンク本体２３０の水位に相当する液面を視認できるように構成されている。
【００９６】
また、図１１に示すように、タンク本体２３０の一方側のソケット部２５３には、タンク本体２３０の中の水の温度を検出する水温計２６５が設けられている。水温計２６５は、排水部２５０から排出される温水の温度を検出できるように設けられている。なお、水温計２６５は、増設用接続部２３２ｂ，２３２ｃを利用して設けることもできる。
【００９７】
次に、以上のように構成された温水生成装置２２０をペレットストーブのペレットストーブ本体２に装着して温水を生成する方法について説明する。
【００９８】
先ず、温水生成装置２２０及びペレットストーブを使用可能な状態にセットする。すなわち、図１１に示すように、温水生成装置２２０のタンク本体２３０は、伝熱面部２３６をペレットストーブ本体２に係合するように、近接配置される。タンク本体２３０の設置高さは、調節部２３９ａによって調節される。
【００９９】
このとき、図１１、図１２及び図１４に示すように、タンク本体２３０の伝熱面部２３６とペレットストーブ本体２との間に形成される隙間２６７には、熱伝導率の高い材料からなるスペーサ部材２７０を設ける。
【０１００】
このスペーサ部材２７０は、例えば、所定厚みの銅製の多孔板からなっていることが好ましい。銅製の多孔板は、熱伝導率が高く、設置現場における切断加工や曲げ加工などがし易いからである。
【０１０１】
また、温水生成装置２２０の給水部２４０及び排水部２５０は、温水を供給する箇所（例えば、ビニールハウスの畝など）と所定の配管工事（詳細については後述する）がなされる。使用されない排水部２５１、ソケット部２５３及び増設用接続部２３２ｂ，２３２ｃなどは、適宜、閉塞される。
【０１０２】
そして、タンク本体２３０には、所定量の水が貯留される。タンク本体２３０の水位は、水位計２６０（図１３及び図１４参照）によって監視される。
【０１０３】
また、ペレットストーブの排気管２１ａには、所定の排気煙突（図示せず）などが接続される。そして、ペレットストーブには、各種動作に必要な電力が供給される。
【０１０４】
以上のように、温水生成装置２２０及びペレットストーブが使用可能な状態にセットされたら、ペレットストーブ（図１１参照）を運転し、ペレットストーブ本体２内でペレット燃料１１２（図２参照）を燃焼する。
【０１０５】
すると、ペレットストーブ本体２（燃焼部２１）は、燃焼熱によって高温になる。図１１に示すように、タンク本体２３０の伝熱面部２３６は、ペレットストーブ本体２に近接配置されているので、上記スペーサ部材２７０を介して加熱される。
【０１０６】
タンク本体２３０内の水は、伝熱面部２３６及び複数の伝熱板２３７（図１３など参照）によって加熱される。特に、伝熱面部２３６には、複数の伝熱板２３７が設けられているので、該伝熱板２３７から水への熱伝達が促進され、迅速な加熱が可能となる。
【０１０７】
加熱された水は、自然対流によってタンク本体２３０内を循環する。その際、水は、伝熱板２３７に設けられた貫通穴２３７ａ（図１３など参照）を通りながら、循環する。
またこのとき、隣接する伝熱板２３７の貫通穴２３７ａは、該貫通穴２３７ａの中心位置を互いにずらして設けられているので（図１３参照）、温水の攪拌が促進される。したがって、タンク本体２３０内の水温が均一化される。
【０１０８】
温水の温度は、水温計２６５（図１１参照）によって検出される。所定温度になった温水は、所定のバルブ（図示せず）操作やポンプ（図示せず）を駆動することによって、温水収集パイプ２３８の貫通穴２３８ａから吸入され、排水部２５０からタンク本体２３０の外部に排出される。
【０１０９】
次に、この第１実施形態に係る温水生成装置２２０を用いた土壌加温システム３００について図１８及び図１９を参照しながら説明する。
図１８に示すように、土壌加温システム３００は、冬季などにおいて、農作物栽培用のビニールハウス３０１の畝３０２（土壌）に適用することができる。
【０１１０】
ビニールハウス３０１は、詳細な図示を省略するが、ビニールハウス３０１の内部に空気を導入する空気導入手段（例えば、所定の空気導入窓）と、ペレットストーブの排気をビニールハウス３０１の外部に導出する排気手段（例えば、所定の排気煙突）と、ペレットストーブの動作に必要な電力を制御盤３に供給する電力供給手段（例えば、所定の電源供給ライン）と、を備える。
なお、ビニールハウス３０１は、ビニール以外の素材（例えば、強化ガラスなど）で構成されてもよい。
【０１１１】
畝３０２は、図１９に示すように、農作物を生育させるための土壌を、例えば、縦断面が台形状となるように盛り上げて作られている。図示例においては、３つの畝３０２が平行に設けられている。
【０１１２】
図１８に示すように、土壌加温システム３００は、温水生成装置２２０と、放熱パイプ３０３と、送水用接続パイプ３０４と、戻水用接続パイプ３０５と、ポンプ３０６と、を備える。
【０１１３】
放熱パイプ３０３は、それぞれの畝３０２の中に埋設され、温水を流通するものである。説明の便宜上、放熱パイプ３０３のうち、温水生成装置２２０から供給されたばかりの比較的高温の温水が通過するパイプを送水パイプ３０３ａとし、該送水パイプ３０３ａを通過した低温の温水が通過するパイプを戻水パイプ３０３ｂとする。
また、図１８においては、送水パイプ３０３ａを実線で示し、戻水パイプ３０３ｂを破線で示してある。
畝３０２の中の送水パイプ３０３ａと戻水パイプ３０３ｂとは、図１９に示すように、所定距離、離間して配置されている。
なお、放熱パイプ３０３には、温水の温度を検出する温度計を設けてもよい。
【０１１４】
送水用接続パイプ３０４は、図１８に示すように、温水生成装置２２０の排水部２５０と送水パイプ３０３ａの一端（上流側の端部）とを接続するものである。ポンプ３０６の上流側であって排水部２５０の直後に位置する送水用接続パイプ３０４には、流路を開閉するバルブ（図示せず）が設けられている。
【０１１５】
戻水用接続パイプ３０５は、図１８に示すように、温水生成装置２２０の給水部２４０と戻水パイプ３０３ｂの一端（下流側の端部）とを接続するものである。給水部２４０の直前に位置する戻水用接続パイプ３０５には、流路を開閉するバルブ（図示せず）が設けられている。なお、説明の便宜上、戻水用接続パイプ３０５も破線で示してある。
【０１１６】
ポンプ３０６は、図１８に示すように、送水用接続パイプ３０４の経路中に設けられ、温水生成装置２２０で生成された温水を放熱パイプ３０３へ送出するものである。
【０１１７】
次に、この第１実施形態に係る温水生成装置２２０を用いた土壌加温システム３００の動作について図１８を参照しながら説明する。
【０１１８】
先ず、ペレットストーブを運転し、温水生成装置２２０によって所定温度の温水を生成する。ペレットストーブの運転によって、ビニールハウス３０１内の空気も加温されることとなる。
【０１１９】
次に、送水用接続パイプ３０４及び戻水用接続パイプ３０５に設けられているバルブ（図示せず）を開ける。そして、ポンプ３０６を駆動させる。ポンプ３０６の吸引力によって、温水生成装置２２０の温水収集パイプ２３８（図１３及び図１６参照）から温水が吸入され、排水部２５０から排出される。
【０１２０】
排水部２５０から排出された温水は、送水用接続パイプ３０４を通って、送水パイプ３０３ａに送出される。すると、畝３０２は、送水パイプ３０３ａ中の温水との熱交換によって加温される。
【０１２１】
送水パイプ３０３ａを通った温水は、上記熱交換によって所定温度低下し、戻水パイプ３０３ｂを通る。戻水パイプ３０３ｂを通る温水が所定温度以上の場合には、畝３０２が加温される。
【０１２２】
畝３０２との熱交換を終えて温度低下した水は、戻水用接続パイプ３０５を通って、温水生成装置２２０の給水部２４０からタンク本体２３０内に戻る。温度低下した水は、温水生成装置２２０によって再び所定温度に加熱される。そして、上述の要領にて、畝３０２中の放熱パイプ３０３に循環され、畝３０２の加温に使用される。
【０１２３】
このように、ペレットストーブの運転によって、ビニールハウス３０１内の空気が加温される。そして、温水生成装置２２０で生成した温水によって畝３０２が最適に加温される。これにより、農作物の凍結などが防止され、農作物の生育が促進される。
【０１２４】
以上のように、この第１実施形態に係る温水生成装置２２０によれば、以下に示す各効果が奏される。
第１実施形態に係る温水生成装置２２０は、ペレットストーブ本体２に係合可能に構成され、ペレットストーブ本体２から受熱する伝熱面部２３６を有するタンク本体２３０と、給水部２４０と、排水部２５０，２５１と、を備える。
このため、給水部２４０から導入され、タンク本体２３０に貯留されている水には、ペレットストーブ本体２からの燃焼熱が伝熱面部２３６を介して伝達される。
したがって、温水生成装置２２０は、簡易な構成にて、ペレットストーブの燃焼熱を利用して温水を生成することができる。
【０１２５】
特に、この温水生成装置２２０は、ペレットストーブ本体２に係合可能に構成されているので、既設のペレットストーブに対しても容易に装着することができ、汎用性がきわめて高い。
【０１２６】
また、伝熱面部２３６には、複数の伝熱板２３７が設けられている。このため、伝熱板２３７から水への熱伝達を促進することができ、温水を迅速に生成することができる。
【０１２７】
また、隣接する伝熱板２３７の貫通穴２３７ａは、該貫通穴２３７ａの中心位置を互いにずらして設けられている。このため、温水の対流時に攪拌が促進される。したがって、タンク本体２３０内の水温を均一化することができる。
【０１２８】
また、タンク本体２３０の内部には、排水部２５０と連通し、複数の貫通穴２３８ａが設けられた温水収集パイプ２３８を有する。このため、タンク本体２３０内の広範囲の領域から温水収集パイプ２３８内に温水を取り入れることができ、該温水を排水部２５０から排出することができる。
【０１２９】
また、タンク本体２３０には、排水部２５０,２５１が設けられ、かつ、該タンク本体２３０の両側面にそれぞれ設けられている。このため、使用する排水部２５０,２５１を任意に選択することができ、タンク本体２３０の設置場所に応じて柔軟に配管することができる。
【０１３０】
また、タンク本体２３０は、水位計２６０を備える。このため、タンク本体２３０の水位を容易に監視することができる。
【０１３１】
また、タンク本体２３０は、水温計２６５を備える。このため、タンク本体２３０の水温を容易に監視することができ、適切な温度の温水を生成することができる。
【０１３２】
また、タンク本体２３０の伝熱面部２３６とペレットストーブ本体２との間に形成される隙間２６７には、スペーサ部材２７０を設けてある。このため、ペレットストーブ本体２から伝熱面部２３６への伝熱効率を高めることができ、温水生成時間を短縮することができる。
【０１３３】
また、スペーサ部材２７０は、銅製の多孔板から構成されている。このため、曲げ加工し易く、ペレットストーブ本体２の外径（隙間２６７の形状）に合わせて設置現場で容易に加工することができる。
【０１３４】
また、タンク本体２３０は、増設用の補助タンクと接続する増設用接続部２３２ｂ，２３２ｃを備える。このため、必要時に増設用の補助タンクと容易に接続することができ、貯水量を容易に増加することができる。
【０１３５】
また、タンク本体２３０の底部付近には、ドレン部（図示せず）が設けられている。このため、該ドレン部からの水抜きが容易になり、タンク本体２３０のメンテナンスを容易に行うことができる。
【０１３６】
また、タンク本体２３０の脚部２３９は、調節部２３９ａを有する。このため、地面に対してタンク本体２３０の設置高さを容易に調節することができる。
したがって、伝熱面部２３６とペレットストーブ本体２との近接距離をできるだけ小さくして、密着度を高めることができる。また、タンク本体２３０の水平度も調節することができ、安定した設置が可能となる。
【０１３７】
また、タンク本体２３０には、凹部２３０ａ、傾斜部２３０ｂ及び段部２３０ｃなどが形成されている。このため、ペレットストーブ用ペレットバーナー１、ペレットタンク１１及び分岐管１５ａなどとの干渉を回避することができ、メンテナンススペースを確保することができると共に、貯水容量を増加することができる。
【０１３８】
また、この第１実施形態に係る土壌加温システム３００は、温水生成装置２２０と、放熱パイプ３０３と、送水用接続パイプ３０４と、戻水用接続パイプ３０５と、ポンプ３０６と、を備える。
このため、温水生成装置２２０で生成した温水を放熱パイプ３０３内に流すことで、畝３０２を加温することができる。したがって、農作物の凍結などを防止することができると共に、農作物の生育を促進することができる。
【０１３９】
このように、ペレットストーブの運転によって、ビニールハウス３０１内の空気を加温することができる。そして、温水生成装置２２０で生成した温水によって畝３０２を加温することにより、農作物の凍結などを防止することができることはもちろん、生育に最適な温度に畝３０２を加温することができる。
【０１４０】
送水用接続パイプ３０４及び戻水用接続パイプ３０５は、流路を開閉するバルブ（図示せず）を有する。このため、温水生成装置２２０と放熱パイプ３０３との間で水の循環を容易に制御することができる。
【０１４１】
また、この第１実施形態に係る温水生成装置２２０を用いた土壌加温システム３００によれば、広さが約１００坪のキュウリ栽培用のビニールハウス３０１において、畝３０２（例えば、長さ約４０ｍ）の設定地温を約２０℃にした場合、送水パイプ３０３ａ及び戻水パイプ３０３ｂの温水温度を３０℃以上に維持することができた。
【０１４２】
〔第２実施形態〕
次に、第２実施形態に係る温水生成装置３２０について、図２０から図２６を参照しながら説明する。
【０１４３】
上記第１実施形態に係る温水生成装置２２０（図１１参照）は、タンク本体２３０をペレットストーブ本体２に係合可能に構成され、タンク本体２３０をペレットストーブ本体２の上方に近接配置可能に構成されている。すなわち、温水生成装置２２０のタンク本体２３０は、ペレットストーブ本体２と別体に構成されている。
【０１４４】
一方、第２実施形態に係る温水生成装置３２０のタンク本体２３０は、ペレットストーブ本体２と一体に構成されている点で、上記第１実施形態の構成と異なる。
したがって、以下、上記第１実施形態の構成と異なる点について説明し、既に説明した部材と同一の部材若しくは既に説明した部材に相当する部材には、同一の符号を付して説明を省略又は簡略化する。なお、図２０においては、電気配線の図示を省略してある。
【０１４５】
図２０から図２６に示すように、第２実施形態に係る温水生成装置３２０は、ペレットストーブ本体２から受熱する伝熱面部２３６を有するタンク本体２３０と、給水部２４０と、排水部２５０と、を備え、伝熱面部２３６は、ペレットストーブ本体２に一体に固定されている。すなわち、伝熱面部２３６は、円筒状のペレットストーブ本体２の円筒部（胴部）を兼用している。
【０１４６】
また、図２０、図２１、図２３、図２４及び図２６に示すように、タンク本体２３０は、延設タンク部２３０ｄを下部に有する。この延設タンク部２３０ｄは、ペレットストーブ本体２の下側約半分の周面を覆っている。
【０１４７】
すなわち、図２６に示すように、延設タンク部２３０ｄの内部は、タンク本体２３０の内部の一部を構成する。延設タンク部２３０ｄの内部にも、伝熱板２３７が配置されている。なお、タンク本体２３０は、水（例えば、約１００リットル）を貯留可能に構成されている。
【０１４８】
図２０、図２１、図２３、図２４及び図２６に示すように、給水部２４０は、タンク本体２３０（延設タンク部２３０ｄ）の両側面の低位置に２箇所設けられている。
【０１４９】
図２３、図２４及び図２６に示すように、タンク本体２３０の前方の底部には、該タンク本体２３０に貯留されている水を必要時に排出するドレン部２５５が設けられている。ドレン部２５５は、図２３に示すように、円筒状のソケット部２５５ａと、該ソケット部２５５ａに螺合され、これを閉塞するプラグ部２５５ｂとから構成されている。
【０１５０】
その他の構成及び温水を生成する方法は、上記第１実施形態の場合とほぼ同様であるので、重複説明を省略する。
【０１５１】
次に、この第２実施形態に係る温水生成装置３２０を用いた土壌加温システム３５０について図２７及び図２８を参照しながら説明する。
【０１５２】
図２７に示すように、土壌加温システム３５０は、冬季などにおいて、農作物栽培用のビニールハウス３０１の畝３０２（土壌）に適用することができる。この図示例では、並設された３棟のビニールハウス３０１に対して、１台の温水生成装置３２０で対応する例を示している。
【０１５３】
図２７及び図２８に示すように、土壌加温システム３５０は、温水生成装置３２０と、放熱パイプ３０３と、送水用接続パイプ３０４と、戻水用接続パイプ３０５と、ポンプ３０６と、灯油ボイラ３５２と、を備える。
【０１５４】
図２７及び図２８に示すように、この土壌加温システム３５０では、送水パイプ３０３ａのみが畝３０２の中に埋設されている。戻水パイプ３０３ｂは、図２８に示すように、畝３０２近傍の土壌中に埋設されている。
【０１５５】
また、図２７に示すように、送水用接続パイプ３０４の経路中には、灯油ボイラ３５２が設けられている。灯油ボイラ３５２は、管理棟３５１に配置されており、温水生成装置３２０の温水生成能力が不足する場合に、温水生成装置３２０から排出される温水を加熱する際に用いられる。
したがって、温水生成装置３２０の温水生成能力が不足しない場合には、灯油ボイラ３５２の運転は不要である。この場合、送水用接続パイプ３０４の経路中に設けられているバルブ（図示せず）を適宜操作することにより、温水生成装置３２０から排出される温水が灯油ボイラ３５２を経由しないようにすればよい。
【０１５６】
土壌加温システム３５０の基本動作は、上記第１実施形態で示した土壌加温システム３００の動作とほぼ同様であるので、重複説明を省略する。
【０１５７】
以上のように、第２実施形態に係る温水生成装置３２０によれば、以下に示す各効果が奏される。
第２実施形態に係る温水生成装置３２０は、ペレットストーブ本体２から受熱する伝熱面部２３６を有するタンク本体２３０と、給水部２４０と、排水部２５０と、を備え、伝熱面部２３６は、ペレットストーブ本体２に一体に固定されている。
このため、上記第１実施形態の場合とほぼ同様の効果を奏するほか、伝熱面部２３６から水への伝熱効率を大幅に高めることができ、温水生成時間をさらに短縮することができる。
【０１５８】
また、タンク本体２３０は、延設タンク部２３０ｄを有するので、水の貯留量、すなわち、温水の生成量を増やすことができる。
【０１５９】
また、この第２実施形態に係る土壌加温システム３５０は、温水生成装置３２０と、放熱パイプ３０３と、送水用接続パイプ３０４と、戻水用接続パイプ３０５と、ポンプ３０６と、灯油ボイラ３５２と、を備える。
このため、温水生成装置３２０で生成した温水を放熱パイプ３０３内に流すことで、畝３０２を加温することができる。したがって、農作物の凍結などを防止することができると共に、農作物の生育を促進することができる。
【０１６０】
このように、ペレットストーブの運転によって、ビニールハウス３０１内の空気が加温される。そして、温水生成装置３２０で生成した温水によって畝３０２を加温することにより、農作物の凍結などを防止することができることはもちろん、生育に最適な温度に畝３０２を加温することができる。
【０１６１】
また、この第２実施形態に係る温水生成装置３２０を用いた土壌加温システム３５０によれば、広さが約３００坪のキュウリ栽培用のビニールハウス３０１，３０１，３０１において、畝３０２の設定地温を約２０℃にした場合、送水パイプ３０３ａ及び戻水パイプ３０３ｂの温水温度を３０℃以上に維持することができる。
なお、温水生成装置３２０は、ポンプ３０６を停止した状態では、タンク本体２３０内に貯留している水を３０分から４５分ほどで沸騰させることができる。
【０１６２】
以上、本発明の一実施形態について説明したが、本発明は、前述した実施形態に制限されるものではなく、適宜変更が可能である。
例えば、上記実施形態においては、温水生成装置２２０，３２０で生成した温水を、ビニールハウス３０１の畝３０２の加温に用いるものとして説明したが、畝以外の対象物（例えば、水耕栽培における水など）の加温に用いてもよい。
また、農業以外の畜産業などにおいて、家畜小屋などの暖房に用いてもよい。
また、農業などの事業用のみならず、家庭用の暖房や、融雪などに用いてもよい。
【符号の説明】
【０１６３】
１  ペレットストーブ用ペレットバーナー
２  ペレットストーブ本体
３  制御盤
１１  ペレットタンク
１１ｇ  開口
１３  燃焼筒
１３ａ  外筒
１３ｂ  内筒
１３ｃ  空気通路
１５  スタンド
１５ａ  分岐管
１６  ペレットタンク用蓋
２１  燃焼部
２１ａ  排気管
２２  燃焼台
２２ａ  通気口
２３  内部空間
２４  開口部
２５  開口
２６  蓋部
２７ａ  通気口
２７ｂ  通気口
２７ｃ  通気口
３０  仕切り蓋部材
３１  円盤部
３２  勘合穴
３３  穴部
３９  ＣＰＵ
４０  仕切り部材
４１  円盤部
４２  貫通穴
４３  穴部
５０  攪拌部材
５１  攪拌用シャフト
５２  攪拌部
５３  攪拌駆動部
６０  規制用制御手段
６１  規制用シャフト（回転軸）
６３  規制用駆動モータ
７０  導風板
８０  防火シャッター部材
８５  防火シャッター
９０  残量検出器
９１  ペレット燃料センサー
９２  センサーデバイス
１１２  ペレット燃料
１５１  空気導入口
１５２  調節用脚
１５３  吸気ファン
１５４  選択型スイッチ
２００  農作物栽培用ハウス
２１０  ハウス本体
２１２  空気導入窓（空気導入手段）
２１４  排気煙突（排気手段）
２１６  電源供給ライン
２２０  温水生成装置
２３０  タンク本体
２３０ａ  凹部
２３０ｂ  傾斜部
２３０ｃ  段部
２３０ｄ  延設タンク部
２３１  開口部
２３２  蓋部材
２３２ａ  貫通穴
２３２ｂ，２３２ｃ  増設用接続部
２３３  ボルト穴
２３４  ボルト
２３６  伝熱面部
２３７  伝熱板
２３７ａ  貫通穴
２３８  温水収集パイプ
２３８ａ  貫通穴
２３９  脚部
２３９ａ  調節部
２４０  給水部
２４０ａ  ソケット部
２４０ｂ  プラグ部
２５０，２５１  排水部
２５０ａ，２５１ａ  ソケット部
２５０ｂ，２５１ｂ  プラグ部
２５３  ソケット部
２５５  ドレン部
２５５ａ  ソケット部
２５５ｂ  プラグ部
２６０  水位計
２６５  水温計
２６７  隙間
２７０  スペーサ部材
３００  土壌加温システム
３０１  ビニールハウス
３０２  畝（土壌）
３０３  放熱パイプ
３０３ａ  送水パイプ
３０３ｂ  戻水パイプ
３０４  送水用接続パイプ
３０５  戻水用接続パイプ
３０６  ポンプ
３２０  温水生成装置
３５０  土壌加温システム
３５１  管理棟
３５２  灯油ボイラ
【図１】
2011002185.tif 000003
【図２】
2011002185.tif 000004
【図３】
2011002185.tif 000005
【図４】
2011002185.tif 000006
【図５】
2011002185.tif 000007
【図６】
2011002185.tif 000008
【図７】
2011002185.tif 000009
【図８】
2011002185.tif 000010
【図９】
2011002185.tif 000011
【図１０】
2011002185.tif 000012
【図１１】
2011002185.tif 000013
【図１２】
2011002185.tif 000014
【図１３】
2011002185.tif 000015
【図１４】
2011002185.tif 000016
【図１５】
2011002185.tif 000017
【図１６】
2011002185.tif 000018
【図１７】
2011002185.tif 000019
【図１８】
2011002185.tif 000020
【図１９】
2011002185.tif 000021
【図２０】
2011002185.tif 000022
【図２１】
2011002185.tif 000023
【図２２】
2011002185.tif 000024
【図２３】
2011002185.tif 000025
【図２４】
2011002185.tif 000026
【図２５】
2011002185.tif 000027
【図２６】
2011002185.tif 000028
【図２７】
2011002185.tif 000029
【図２８】
2011002185.tif 000030